(57)【要約】【課題】  天端面に傾斜を有するパラペットへの取り付けを可能とした笠木を提供する。【解決手段】  パラペット２の天端部２Ｔにブラケット３を所定間隔をおいて取り付け、天板部の両側に側板部を設けた笠木本体４を、ブラケット３に嵌着する。笠木本体４は、分割天板部31と両側の分割側板部32，33とを備え、分割側板部32，33に、分割天板部31の端部を係入すると共に、係入角度が調整可能な係入受部45，35を設け、パラペット２の天端部２Ｔの傾斜に、分割天板部31と分割側板部32，33との角度を合わせてそれら分割天板部31と分割側板部32，33とを接合する。【選択図】        図１
2006063763.tif 000002
【特許請求の範囲】
【請求項１】
パラペットの天端部にブラケットを所定間隔をおいて取り付け、天板部の両側に側板部を設けた笠木本体を、前記ブラケットに嵌着する笠木において、前記笠木本体は、分割天板部と両側の分割側板部とを備え、前記分割天板部に、前記分割側板部の端部を係入すると共に、係入角度が調整可能な係入受部を設け、前記パラペットの天端部の傾斜に、前記分割天板部と分割側板部との角度を合わせてそれら分割天板部と分割側板部とを接合したことを特徴とする笠木。
【請求項２】
前記係入受部は、内側に向いた上部と下部とを備え、これら上部と下部との間に前記分割側板部の端部を挿入し、それら上部と下部との間隔を前記分割天板部の端部の厚さより広く形成したことを特徴とする請求項１記載の笠木。
【請求項３】
前記下部の内端が前記上部の内端より内側に位置することを特徴とする請求項２記載の笠木。
【請求項４】
前記下部の上面に凹凸を設けたことを特徴とする請求項１〜３のいずれか１項に記載の笠木。
【請求項５】
前記上部の内端側に下向きの段部形成部を設けたことを特徴とする請求項１又は２記載の笠木。
【発明の詳細な説明】
【技術分野】
【０００１】
本発明は、パラペットを覆う笠木に関する。
【背景技術】
【０００２】
従来より、パラペットの上部には、ひび割れによる漏水などを防止するために笠木が取り付けられている。このような笠木は、一般にアルミ材を押出成形した薄板状の断面コ字型であって、パラペット天端部に所定間隔毎に取り付けられた複数のブラケットに対して上から嵌め込んで取り付けられる。この場合、笠木とブラケットとの間にリブ部材などを立設して、当該リブ部材によって笠木を担持し、パラペット天端部と笠木との間に所定の空間を設け、笠木とパラペットとの膨張率の差による笠木の変形等を防止するようになっている（例えば、特許文献１参照）。
【０００３】
そして、既設建築物のパラペットでは、パラペットの天端面を斜め勾配に仕上げており、コンクリート製のパラペットではその勾配にばらつきがあり、さらには、同一構造物において、場所によりパラペットの厚さにばらつきがある既設建築物もある。このような勾配を有する既設のパラペットに笠木を設ける場合、従来は、天端面にモルタルなどを盛って平らに仕上げてブラケットを水平に取り付けるようにしていた。
【０００４】
ところで、湾曲する平板状の天板と、この天板の湾曲した側縁部に沿って湾曲した２つの側板を連結してほぼ下向コ字状とした笠木において、前記２つの側板の対向面上縁側に突起部を長手方向全長に亘って一体的に設け、この突起部の上面を接着面として、この接着面に接着剤を塗布して天板の両側縁部を突起部の接着面に接着して接合し、この突起部の天板との接着部又はその接着部と連続した部分に凹溝を長手方向に亘って形成して余分な接着剤が凹溝内に溜まるようにし、前記２つの側板間に跨って補強材を接合して天板と２つの側板を連結した笠木（例えば特許文献２）があるが、この笠木では天板をパラペットの勾配に合わせることはできない。
【０００５】
そして、上記のようなモルタルを用いた補修では、現場での作業が煩雑であり、ブラケットをアンカーなどにより固定してもモルタルでは十分な取付強度が得られ難い面がある。
【特許文献１】特開平１１−９３３５６号公報
【特許文献２】特開平９−７２０５５号公報
【発明の開示】
【発明が解決しようとする課題】
【０００６】
そこで、本発明は、このような問題を解決しようとするもので、天端面に傾斜を有するパラペットへの取り付けを可能とした笠木を提供することを目的とする。
【課題を解決するための手段】
【０００７】
請求項１の発明は、パラペットの天端部にブラケットを所定間隔をおいて取り付け、天板部の両側に側板部を設けた笠木本体を、前記ブラケットに嵌着する笠木において、前記笠木本体は、分割天板部と両側の分割側板部とを備え、前記分割天板部に、前記分割側板部の端部を係入すると共に、係入角度が調整可能な係入受部を設け、前記パラペットの天端部の傾斜に、前記分割天板部と分割側板部との角度を合わせてそれら分割天板部と分割側板部とを接合したものである。
【０００８】
また、請求項２の発明は、前記係入受部は、内側に向いた上部と下部とを備え、これら上部と下部との間に前記分割側板部の端部を挿入し、それら上部と下部との間隔を前記分割天板部の端部の厚さより広く形成したものである。
【０００９】
また、請求項３の発明は、前記下部の内端が前記上部の内端より内側に位置するものである。
【００１０】
また、請求項４の発明は、前記下部の上面に凹凸を設けたものである。
【００１１】
また、請求項５の発明は、前記上部の内端側に下向きの段部形成部を設けたものである。
【発明の効果】
【００１２】
請求項１の発明によれば、分割天板部の端部を両側の分割側板部の係入受部に係入すると共に、天端部の傾斜に、前記分割天板部と分割側板部との角度を合わせてそれら分割天板部と側板部とを接合することにより、天端部の傾斜に合った天板部を有する笠木が得られる。
【００１３】
また、請求項２の発明によれば、上部と下部との間に端部を係入した状態で、分割側板部と天板部との角度を調整することができる。
【００１４】
また、請求項３の発明によれば、上部と下部との間に端部を係入した状態で、分割側板部と天板部との角度をほぼ９０度より大きくなる範囲で調整することができる。
【００１５】
また、請求項４の発明によれば、下部の上面と分割天板部の下面との間に接着剤を充填する場合、凹凸により密着性が向上する。
【００１６】
また、請求項５の発明によれば、上部の段部形成部と下部との間に端部を係入した状態で、分割側板部と分割天板部との角度をほぼ９０度より小さくなる範囲で調整することができる。さらに、上部側が分割天板部より一段高い段部となり、分割天板部から段部形成部を設けた分割側板部側に雨水が流れることがなく、また、前記段部により意匠性が向上する。
【発明を実施するための最良の形態】
【００１７】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な笠木を採用することにより、従来にない笠木が得られ、その笠木を夫々記述する。
【実施例１】
【００１８】
以下、本発明の笠木を添付図面を参照して説明する。図１〜図５は、本発明の実施例１を示す。笠木１は、建物の屋上のパラペット２の天端部２Ｔに設けられる。
【００１９】
まず、笠木１のブラケット３から説明する。ブラケット３は、アルミニウムの押出成形品で略コ字型をなし、パラペット２の天端部２Ｔの長さ方向にほぼ一定長さを有するものであり、前記パラペット２の天端部２Ｔに固定される平板部５の外端側及び内端側から垂壁部６Ａ，６Ｂが一体に垂設されている。
【００２０】
また、前記平板部５には、幅方向外側及び内側に、先端に緩衝ゴム７が装着された受けリブ８，８が突設され、これら受けリブ８，８の下部には挿通孔９が形成されおり、笠木本体４の裏面側に当接して該笠木本体４の裏面を支えるようになっている。そして、パラペット２の天端部２Ｔに固定する平板部５に、幅方向両側で複数の受けリブ８，８を設けることにより、笠木本体４を支持することができる。
【００２１】
10は前記ブラケット３の平板部５に添設するための、鋼板からなる平板を曲げ加工した補強プレートであり、両側縁を上側に折曲して断面コ字型に形成されている。
【００２２】
また、補強プレート10は前記受けリブ８の前記挿通孔９に挿入配置され、その補強プレート10には、前記平板部５に形成された長孔11，11と対応する位置に長孔12，12が形成され、長孔11，11にはそれぞれアンカーボルト13，13が挿入され、これらアンカーボルト13，13によってパラペット２の天端部２Ｔに補強プレート10と平板部５とが共締め固定されている。
【００２３】
14は、前記補強プレート10に螺着される左右一対のねじ杆であり、頂部にトライバー等の工具（図示せず）と係合する係合溝15が形成され、下端部周縁には前記パラペット２の天端部２Ｔに当接させるリング状のプレート16を加締めて首振り自在に組み付け固定している。また、補強プレート10には、前記ねじ杆14のねじ孔17が前記長孔11，11の外側に形成され、かつ、前記ブラケット３には前記ねじ孔17と対応する位置に前記プレート16より径大な貫通孔18が係止されている。そして、ねじ杆17をブラケット３の裏面側から貫通孔18に通して補強プレート10のねじ孔17に螺着している。つまり、ねじ杆14は補強プレート10の裏面側に垂下して各ブラケット３から突出する。また、ねじ杆14の上端側は補強プレート10のねじ孔17から突出し、そのねじ杆14の頂面に形成した前記係止溝15が補強プレート10の表面側に露出し、外部からねじ杆17を回すことによって補強プレート10に対するねじ杆14の高さを調節できるようになっている。
【００２４】
前記ブラケット３は、第１及び第２ブラケット３Ａ，３Ｂに前記平板部５のほぼ幅方向中央で分割されており、外側の第１ブラケット３Ａの内端縁及び内側の第２ブラケット３Ｂの外端縁には、それぞれ立上がり壁21Ａ，21Ｂが設けられ、第１ブラケット３Ａの立上がり壁21Ａの上端からはさらに平面受面22が内側に向って延び、この平面受面22の外端縁には第２ブラケットの立上がり壁21Ｂと対向する下降片23が垂設されている。そして、この下降片23には蟻溝状の嵌合溝24が形成され、この嵌合溝24と嵌合する嵌合突起25が第２ブラケット３Ｂの立上がり片21Ｂに形成され、これら嵌合溝24と嵌合突起25を嵌合することで第１及び第２ブラケット３Ａ，３Ｂが一体的に連結される。
【００２５】
次に、笠木本体４について説明する。笠木本体４は、パラペット２の天端部２Ｔに沿って長さ方向に延びた分割天板部31と、この分割天板部31の外端縁及び内端縁にそれぞれ設けられる分割側板部32，33とを有し、これら分割側板部32，33の下端側には、ブラケット３に引っ掛けて笠木本体４を固定するためのＬ型のフランジ部34が笠木幅方向内側に向かって形成されている。尚、分割天板部31及び分割側板部32，33は、接合前は別体であって、ブラケット３と同様に、アルミニウムを一体的に押出成形などにより形成される。
【００２６】
前記内端側の分割側板部33の上端側には、前記分割天板部31の内側の端部が係入する係入受部35が設けられている。この係入受部35は、笠木幅方向内側に向かって分割側板部33とほぼ直交方向に突出形成された上部36と下部37とを備え、それら上部36と下部37とは笠木長手方向に連続して形成され、それら上部36と下部37との間隔Ｋは、前記分割側板部33の端部の厚さＴより大きく形成されている。そして、前記間隔Ｋは、厚さＴの１.１５〜１．８倍程度に設定されているため、角度調整が容易である。また、下部37の内端は上部36の内端より内側に位置し、下部37の突出寸法は、上部36の突出寸法の略２〜４倍程度である。さらに、下部37の上面には断面略三角形状の凹凸部38が笠木長手方向に連続して形成され、下部37の上面基端側は平坦に形成されている。
【００２７】
したがって、係入受部35に端部を挿入した状態で、図５に示すように、分割側板部33に対して、分割天板部31の角度をほぼ９０度から大きくなる所定範囲まで無段階に調整でき、角度を調整したら、分割天板部31の端部下面と下部37との間に接着剤39を充填して接合し、好ましくは笠木本体４の全長に接着剤39を設ける。この場合、分割天板部31と分割側板部33とを溶着など各種の接合手段を用いて接合してもよい。
【００２８】
また、前記外端側の分割側板部32の上端側には、前記分割天板部31の外側の端部が係入する係入受部45が設けられている。この係入受部45は、笠木幅方向内側に向かって分割側板部32とほぼ直交方向に突出形成された上部46と下部47とを備え、それら上部46と下部47とは笠木長手方向に連続して形成され、それら上部46と下部47との間隔Ｋ´は、前記分割側板部32の端部の厚さＴより大きく形成されている。
【００２９】
また、下部47の内端は上部46の内端とほぼ同位置にある。さらに、上部46の内端には、下向きの段部形成部48が形成されている。この段部形成部48の下端と下部47の上面と分割側板部高さ方向の間隔ｋは、前記分割天板部31の端部の厚さＴより僅かに大きく形成され、前記間隔Ｋ´より小さい。
【００３０】
したがって、係入受部45に端部を挿入した状態で、図５に示すように、分割側板部33に対して、分割天板部31の角度を９０度から小さくなる所定範囲まで無段階に調整でき、角度を調整したら、分割天板部31の端部下面と下部47との間に接着剤39を充填して接合する。この場合、分割天板部31と分割側板部32とを溶着など各種の接合手段を用いて接合してもよい。
【００３１】
次に、上記構成につきその作用・効果を説明する。まず、既設のパラペット２の天端部２Ｔの斜め勾配に、分割天板部31の角度を合わせ、この分割天板部31に対して分割側板部32，33がほぼ垂直になるようにそれら分割側板部32，33を接合する。この場合、天端部２Ｔの勾配測定を現場で行い、この測定値に合わせて工場において、前記接合を行うことが好ましい。尚、ブラケット３はパラペット２に合わせて形成しておくことが好ましいが、製作時に平板部５に対する垂壁部６Ａ，６Ｂの角度を曲げ加工により調整設定したり、現場でねじ杆14を用いて取付高さを調整設定したりして対応することもできる。
【００３２】
そして、ブラケット３においては、平板部５及び受けリブ８に形成された挿通孔９に補強プレート10を通し、この補強プレート10の長孔12及び平板部５の長孔11にボルト13を挿入し、このボルト13によってパラペット２の天端部２Ｔに補強プレート10と平板部５とを共締め固定し、所定間隔でブラケット３を天端部２Ｔに取付固定する。
【００３３】
次に、笠木本体４の分割天板部31を外側に開くように屈曲させると共に必要に応じて天板部31を弾性変形させてブラケット３上に笠木本体４を降ろし、受けリブ８，８の先端に分割天板部31の下面とが接したら、分割側板部32，32を狭めるように分割天板部31を弾性復帰させて分割側板部32，32に形成されたフランジ部34，34を垂壁部６Ａ，６Ｂに係止させ、既設のパラペット２に、その対応した勾配を備えた笠木本体４を設けることができる。
【００３４】
このように本実施例では、請求項１に対応して、パラペット２の天端部２Ｔにブラケット３を所定間隔をおいて取り付け、天板部の両側に側板部を設けた笠木本体４を、ブラケット３に嵌着する笠木において、笠木本体４は、分割天板部31と両側の分割側板部32，33とを備え、分割側板部32，33に、分割天板部31の端部を係入すると共に、係入角度が調整可能な係入受部45，35を設け、パラペット２の天端部２Ｔの傾斜に、分割天板部31と分割側板部32，33との角度を合わせてそれら分割天板部31と分割側板部32，33とを接合したから、分割天板部31の端部を両側の分割側板部32，33の係入受部45，35に係入すると共に、天端部２Ｔの傾斜に、前記分割天板部31と分割側板部32，33との角度を合わせてそれら分割天板部31と分割側板部32，33とを接合することにより、天端部２Ｔの傾斜に合った天板部を有する笠木が得られる。
【００３５】
このように本実施例では、請求項２に対応して、係入受部35，45は、内側に向いた上部36，46と下部37，47とを備え、これら上部36，46と下部37，47との間に分割側板部33，32の端部を挿入し、それら上部36，46と下部37，47との間隔Ｋ，Ｋ´を分割天板部の端部野厚さより広く形成したから、上部36，46と下部37，47との間に端部を係入した状態で、分割側板部33，32と分割天板部31との角度を調整することができる。
【００３６】
また、このように本実施例では、請求項３に対応して、下部37の内端が上部36の内端より内側に位置するから、上部36と下部37との間に端部を係入した状態で、分割側板部33と分割天板部31との角度をほぼ９０度より大きくなる範囲で調整することができる。
【００３７】
また、このように本実施例では、請求項４に対応して、下部37の上面に凹凸たる凹凸部38を設けたから、下部37の上面と分割天板部31の下面との間に接着剤を充填する場合、凹凸により密着性が向上する。
【００３８】
また、このように本実施例では、請求項５に対応して、上部46の内端側に下向きの段部形成部48を設けたから、上部46の段部形成部48と下部47との間に端部を係入した状態で、分割側板部32と分割天板部31との角度をほぼ９０度より小さくなる範囲で調整することができる。さらに、上部46側が分割天板部31より一段高い段部となり、分割天板部31から段部形成部48を設けた分割側板部32側に雨水が流れることがなく、また、前記段部により意匠性が向上する。
【００３９】
また、実施例上の効果として、両側において、分割天板部31の下面側に接着剤39を充填したから、接着剤39が笠木本体４の外面側に現れることがない。
【００４０】
以上、本発明の実施例について詳述したが、本発明は前記各実施形態に限定されるものではなく、本発明の要旨の範囲内で種々の変形実施が可能である。例えば、実施例では、両側の分割側板部がほぼ平行になるように分割天板部に接合したが、両側の分割側板部は必ずしも平行に配置しなくてもよい。
【図面の簡単な説明】
【００４１】
【図１】本発明の実施例１を示す笠木の断面図である。
【図２】同上、笠木の分解斜視図である。
【図３】同上、内側の分割側板部の係合受部の拡大断面図である。
【図４】同上、外側の分割側板部の係合受部の拡大断面図である。
【図５】同上、分割天板部を勾配に合わせて組み立てる笠木本体の断面図である。
【符号の説明】
【００４２】
１  笠木
２  パラペット
２Ｔ  天端部
３  ブラケット
４  笠木本体
31  分割天板部
32，33  分割側板部
35  係入受部
36  上部
37  下部
39  接着剤
45  係入受部
46  上部
47  下部
48  段部形成部
【図１】
2006063763.tif 000003
【図２】
2006063763.tif 000004
【図３】
2006063763.tif 000005
【図４】
2006063763.tif 000006
【図５】
2006063763.tif 000007